(57)【要約】　　　（修正有）【課題】ダム湖底に堆積した堆泥を利用した植物育成培地を提供することを目的とする。【解決手段】ダム湖底に堆積した堆泥を浚渫して得られる浚渫土に、凝集剤および生石灰、消石灰およびセメントからなる群より選ばれる脱水助剤を加えて脱水ケーキを得、得られる脱水ケーキに木質系堆肥を脱水ケーキに対して１０容量％から５０容量％添加した後に堆積して保管し、次いで得られる堆積土に対してピートモスを得られる培地中に１０容量％から５０容量％となる量で添加して得られる植物育成培地は、堆泥の透水性の不良性から生じる問題、さらに浚渫後の脱水ケーキの有する高いｐＨ、臭い、相互癒着による土塊形成、嫌気性、リン酸欠乏などの問題を解決し、植物の栽培に適した理化学性を有する培地である。【選択図】　図１
2004016184.tif 000002
【特許請求の範囲】
【請求項１】
ダム湖底に堆積した堆泥を浚渫して得られる浚渫土に、凝集剤と共に生石灰、消石灰およびセメントからなる群より選ばれる脱水助剤を加えて脱水ケーキを得、得られる脱水ケーキに木質系堆肥を脱水ケーキに対して１０容量％から５０容量％添加した後に堆積して保管し、次いで得られる堆積土に対してピートモスを得られる培地中に１０容量％から５０容量％となる量で添加して得られる植物育成培地。
【請求項２】
浚渫土が、ピペット法で分類される粘土とシルトの合計含有量が９０重量％以上であり且つ粘土の含有量が３０重量％以上である堆泥を浚渫して得られる浚渫土である請求項１の植物育成培地。
【請求項３】
浚渫土に、浚渫土の乾燥重量当たり０．１重量％から５重量％の脱水助剤を加える請求項１または２の植物育成培地。
【請求項４】
凝集剤と共に脱水助剤を加えた浚渫土を、物理的手段により固液を分離して水分を減少させて脱水ケーキを得、次いで得られた脱水ケーキを堆積して保管する請求項１から３のいずれかの植物育成培地。
【請求項５】
脱水ケーキを堆積して保管した後、機械的手段により切り崩し、次いで振動篩機を用いて、篩目の開孔部の一辺の大きさが４ｍｍから１６ｍｍで篩別する請求項４の植物育成培地。
【請求項６】
木質系堆肥がバーク堆肥である請求項１から５のいずれかの植物育成培地。
【請求項７】
ピートモスと共に、ｐＨ低下資材を添加する請求項１から６のいずれかの植物育成培地。
【請求項８】
ｐＨ低下資材が硫酸またはニトロフミンである請求項７の植物育成培地。
【請求項９】
堆積土に対して、リン酸肥料を得られる培地１リットル当たりリン成分として１５００ｍｇから４０００ｍｇとなる量で添加する請求項１から８のいずれかの植物育成培地。
【発明の詳細な説明】
【０００１】
【発明の属する技術分野】
本発明は、ダム湖底に堆積した堆泥を利用した、植物の生育に適した植物育成培地に関する。
【０００２】
【従来の技術】
湖沼、ダムや河川等から浚渫作業で回収された泥土は主としてそのまま近隣に埋め立て、農地還元等が行われたり、礫・砂分離機により礫や砂を除去した後、濃縮槽で水、泥を分離し、分離した泥を脱水装置にて脱水して脱水ケーキを得、畑土、盛土、煉瓦や骨材等の焼成品原料などに有効活用したりしているが、その利用は十分ではなく処分地の確保が年々困難になってきている。このうち、浚渫土を野菜、花、樹木などの植物を栽培するための培地の主原料として利用することは有望な用途と考えられているが、従来、ダムの浚渫土を植物育生培地の原料としては、以下に説明するような理由で利用しにくかった。
ダムの堆泥については、とくに浚渫の必要性が高い最下部においてダム湖底に堆積した底泥の粒径が著しく細かいという問題がある。このため脱水効率が著しく悪く、通常これらの浚渫で用いられるフィルタープレス脱水装置を用いて無薬注処理脱水した場合脱水できないことが多かった。また、ダムの浚渫はダム湖の水位が低い時期に集中的に行う必要があり、その時期は例えば揚水式ダムの場合１年間のうち水位の最も低下する冬季の数ヶ月に限られる。このためダムの場合湖沼や河川の浚渫に比べて大量の堆泥を効率的に脱水する必要があり、一度に浚渫される浚渫土の量は通常数千ｔ〜数万ｔに及ぶ。このように大量に浚渫した浚渫土を植物育成培地として利用する場合、そのすべてを一度に処理することは著しく困難であるとともに事業の継続の面からも適当でなく、そのため浚渫した堆泥を一時的に保管しておく必要がある。このとき、浚渫土の物理的な強度が弱い場合雨水により再泥化したり、浸食、流亡したりする等の問題があった。さらにこのような浚渫土を植物育成培地に使用した場合、潅水により土壌の塊が容易に崩壊し、著しく透水性を悪化させるため好ましくなかった。
上記のようなダム底泥特有の問題を解決する底泥の脱水方法として、礫・砂分離機により礫や砂を除去した後、濃縮槽で水、泥を分離し、分離した泥に石灰を添加して脱水効率を高める方法がある。この方法で得られた浚渫土をそのまま植物育成培地として利用するには理化学性が不適当であった。具体的には、脱水助剤として添加した石灰の影響によりｐＨが著しく高いこと、堆積保管中の有機物分解による悪臭、物理性（透水性、保水性）の悪化等の問題点が挙げられる。
【０００３】
ダム湖底の堆泥を植物育成培地に利用する方法として、富栄養化した浚渫泥土についてある種の生石灰類を処理剤として添加する方法（特開平１０−５７９９１号公報）、泥土を培土化処理しさらに造粒・乾燥して発芽生育培土を得る方法（特開平８−６０１５５号公報）等が提案されている。しかしながら、これらの方法には、泥土を植物の生育に適した理化学性を有する土壌に改変するための具体的な工夫がなく、上記したようなダムの堆泥を植物育成培地に利用する場合の特有の問題の解決に対しては十分とはいえなかった。
【０００４】
【発明が解決しようとする課題】
従って、本発明の目的は、水力発電所に付帯するダムや貯水ダム等の大型ダムのダム湖底に堆積した堆泥を植物育成培地に利用する場合の問題点、即ち、堆泥の透水性の不良性から生じる問題、さらに浚渫後の脱水ケーキの有する高いｐＨ、臭い、相互癒着による土塊形成、嫌気性、リン酸欠乏などの問題を解決し、ダム湖底の堆泥を利用した、植物の栽培に適した理化学性を有する植物育成培地をを提供することにある。
【０００５】
【課題を解決するための手段】
本発明は、水力発電所に付帯するダムや貯水ダム等の大型ダムのダム湖底に堆積した堆泥を利用した植物育成培地である。
即ち、本発明は、ダム湖底に堆積した堆泥を浚渫して得られる浚渫土に、凝集剤と共に生石灰、消石灰およびセメントからなる群より選ばれる脱水助剤を加えて脱水ケーキを得、得られる脱水ケーキに木質系堆肥を脱水ケーキに対して１０容量％から５０容量％添加した後に堆積して保管し、次いで得られる堆積土に対してピートモスを得られる培地中に１０容量％から５０容量％となる量で添加して得られる植物育成培地である。
【０００６】
【発明の実施の形態】
本発明で植物育成培地の原料として用いるものは、ダム湖底に堆積した堆泥を浚渫して得られる浚渫土である。堆泥としては、ピペット法で分類される粘土とシルトの合計含有量が９０重量％以上で且つ粘土の含有量が３０重量％以上の堆泥が好適なものであり、実際には水力発電所に付帯するダムや貯水ダム等の大型ダムのダム湖底に堆積した泥が対象となる。ピペット法は粒度分布を測定するひとつの方法であり、土壌環境標準分析法（博友社）等に記載された方法に従って実施することができる。堆泥をポンプやバケットなどで浚渫して得られる浚渫土は、必要により遠心分離機やベルトプレス、フィルタープレス等の物理的手段により固液を分離し水分を減少させて脱水ケーキとするが、このときに凝集剤に加えて脱水助剤を添加する。凝集剤としては、通常用いられているものをそのまま使用することができ、例えば、ポリ塩化アルミニウム、硫酸アルミニウム、アクリルアミド・アルギン酸ソーダ重合体などの高分子凝集剤などが挙げられる。これらの使用量は通常、浚渫土の乾燥重量に対して０．０１重量％から０．１重量％である。凝集剤と共に添加する脱水助剤は石灰であり、石灰としては、生石灰、消石灰およびセメントから選ばれる。その添加量は、浚渫土の乾燥重量当たり０．１重量％から５重量％が好ましく、特に０．５重量％から２重量％が好ましい。添加量が少ない場合、石灰の効果が認められず脱水効率が著しく悪いだけでなく、得られた脱水ケーキが柔らかく、脱水後の運搬保管に支障を来す。逆に添加量が多い場合ｐＨが上がりすぎる、脱水ケーキが著しく硬くなる等の問題があり、また、コストが高くなる。
【０００７】
浚渫土から得られる脱水ケーキは堆積して保管するのが好ましい。一度に浚渫される浚渫土の量は通常数千ｔ〜数万ｔに及ぶが、このように大量に浚渫した浚渫土をすべて一度に植物育成培地として利用することは事実上不可能に近く、事業の継続の面からも適当でない。そのため浚渫土から得た脱水ケーキは一時的に堆積して保管しておくのが望ましい。堆積保管の方法としては、特に制限はないが、平らな置き場に高さ約２ｍ以上に積み上げて保管する方法や擁壁等で囲った保管場所に堆積しておく方法などがある。このとき脱水助剤として石灰を添加して脱水した本発明の脱水ケーキの場合、乾湿の繰り返しや雨水による崩壊、流亡が少ない。
【０００８】
堆積保管した脱水ケーキは、次いで必要に応じて植物育成培地用に切り崩し加工する。堆積した脱水ケーキをバックホー、ショベルローダ等の建設機械を用いて切り崩して解した後には、振動篩機を用いて篩別するのが好ましい。篩の大きさは目的とする植物育成培地の用途に応じて決められるが、篩目の開孔部の１辺の大きさが４ｍｍから１６ｍｍが好ましく、特に６ｍｍから１２ｍｍが望ましい。振動震機による処理の前後に解砕機を設け、大きな脱水ケーキの土塊を物理的方法により解砕してもよい。
【０００９】
次に堆肥を添加し、堆積して保管する。堆肥を添加して、通常２週間以上、好ましくは３週間から２ヶ月の期間堆積することにより、浚渫土から得られる脱水ケーキのｐＨが８程度まで低下させることができ、また浚渫土由来の悪臭が除去される。本発明で用いる堆肥は、木質系堆肥であり、通常知られているいずれの木質系堆肥でもよく、モミガラ、イナワラ、麦稈、バーク、鋸屑、剪定枝、家畜糞尿、都市ゴミコンポスト等の各種材料を自然堆積しあるいは人為的に機械処理して、常法により得られる木質系堆肥である。本発明では、特に、モミガラ堆肥、バーク堆肥、剪定枝やダムに流れ着いた流木を解砕したチップ等の木質系素材を主原料にした木質系堆肥が好ましい。これらの木質系堆肥は植物組織による適度な強度を有する繊維構造を有するため、浚渫土から得られる脱水ケーキに混合したときに土を膨軟化し、高い気相率を確保することができる。そのため脱水ケーキのｐＨが低下しやすく、植物の栽培に適した物理性となる。さらに、木質素材の多孔質に浚渫土の臭いが吸着され、混合後短期間に臭いを除去することができる。木質系堆肥の添加量については、脱水ケーキに対して、１０容量％から５０容量％であり、好ましくは、２０容量％から４０容量％である。
木質系堆肥を添加後に堆積して保管する。堆積する方法については特に制限はないが、通常堆肥を製造している方法に準じて２から３ｍ程度の高さに積み上げる方法が好ましい。堆積して保管する期間は１週間以上が好ましく、特に２週間以上継続するのが好ましい。これ以上長く継続しても特に問題はないが、その場合、２週間に１度程度切返しを行うと良い。
【００１０】
本発明では、浚渫土から得られる脱水ケーキに木質系堆肥を混合して堆積し保管して得られる堆積土に対して、植物の栽培に適した理化学性となるようにピートモスを添加する。本発明で用いるピートモスは、保水性の向上を目的とした土壌改良材として政令指定されており市販されているもののうち、ｐＨ調整をしていないものであればいずれのものでもよい。ピートモスを添加することで、手触りが柔らかく、保水性が高い植物育成培地を得ることができるとともに、ｐＨが低下する。ピートモスの添加量は得られる培地中に占める割合が、１０容量％から５０容量％、好ましくは２０容量％から４０容量％となる量である。ピートモスに加えて、更にｐＨ低下資材を添加するのが好ましい。ｐＨ低下資材としては、硫酸、ニトロフミン酸のいずれかあるいは両方を用いることが好ましい。添加量は、得られる培地のｐＨが６．０から７．５となるように決めればよいが、ニトロフミン酸の場合、培地１リットル当たり好ましくは３０ｇから２００ｇ、特に５０ｇから１００ｇとなる量が好ましい。硫酸の場合１規定（０．５Ｍｏｌ／Ｌ）の硫酸溶液を堆積土１リットル当たり好ましくは１００ｍｌから４００ｍｌ、特に１５０ｍｌから３００ｍｌ添加するのが良い。
ピートモスを用いずにｐＨ低下資材のみでｐＨ低下を行おうとする場合、ｐＨ低下資材を多く添加すればｐＨが目的の範囲の植物育成培地を得ることができるが、ＥＣが著しく高くなり好ましくない。また、植物の生育に重要な保水性や使用時の重要な特性である手触りが適当でない。
【００１１】
本発明では、堆積土に対して肥料成分としてリン酸肥料を添加するのが好ましい。　浚渫土は浚渫時の脱水処理過程で凝集剤として添加されるアルミニウム化合物などの影響でリン酸吸収係数が高いため、リン酸肥料の添加量が少ないとリン酸欠乏を引き起こす。また、リン酸添加量が多いと土壌中の塩類濃度を高めて根に障害を及ぼし、また、リン酸肥料の副成分であるカルシウムやマグネシウム等が過剰となり培地中のミネラルバランスを損なう。このことから、培地のＥＣ（電気電導度）を上げることなく、また、カルシウムやマグネシウムが過剰でないリン酸肥料を使用することが望ましい。本発明では含有リン酸成分のうち水溶性リン酸を除くく溶性リン酸が５０重量％以上であるリン酸肥料を用いるのが望ましい。具体的には熔燐、リンスター、重焼リン等が例示される。本発明で添加するリン酸肥料の添加量は、得られる培地１リットルあたりリン酸成分として好ましくは１５００ｍｇから４０００ｍｇ、特に２０００ｍｇから３０００ｍｇとなる量が望ましい。
【００１２】
リン酸以外の多量肥料成分である窒素及び加里については、対象とする植物の種類に応じて添加量を決めればよく、窒素肥料を窒素成分で培地１リットルあたり５０ｍｇから２００ｍｇ、加里肥料を加里成分で培地１リットルあたり５０ｍｇから１００ｍｇ添加すると良い。
本発明では堆積土にピートモス、ｐＨ低下資材、リン酸肥料、窒素肥料、加里肥料等を混合して好ましい植物育成培地を得ることができる。混合の方法はこれらの資材が均一に混合されればとくに制限はないが、ショベルローダ等の重機で混合する方法、一軸混合装置、二軸混合装置、撹拌羽根回転式混合装置等の混合機を用いる方法等が例示される。
【００１３】
【実施例】
次に実施例に基づいて本発明を更に詳細に説明するが、本発明はこれらの実施例によって何等制限されるものではない。
【００１４】
試験例１
ダム堆泥の脱水処理試験
１．ダム底泥の脱水試験
（１）方法
ダムの底から採取した堆泥を供試し、それぞれ、無薬注処理、石灰添加処理（消石灰５重量％）、高分子凝集剤処理（アクリルアミド・アルギン酸ソーダ重合体（アニオン）（ハイモロックＳＳ−１００　Ｄ．Ｓ．３％添加）を堆泥の乾燥重量に対して０．０５重量％添加）を行った後、ベルトプレス脱水機により脱水し、脱水ケーキの性状について、分析を行った。分析は締め固めた土のコーン指数試験に準じて行った。底泥は粒度の比較的細かい粘質土２サンプル（ピペット法による粒度分布、粘質土１：砂０重量％、シルト１５重量％、粘土８５％；粘質土２：砂０重量％、シルト５重量％、粘土９５％）、やや荒い粘質砂土１サンプル（ピペット法による粒度分布、粘質砂土：砂５重量％、シルト２５重量％、粘土７５重量％）を供試した。
（２）結果
結果を表１から３に示した。
【００１５】
【表１】
2004016184.tif 000003
【００１６】
【表２】
2004016184.tif 000004
【００１７】
【表３】
2004016184.tif 000005
【００１８】
表１から３の結果から分かるように、無薬注処理ではいずれも脱水性が悪く、粘質土２ではほとんど脱水できなかった。粒度の荒い粘質砂土でもコーン指数が１２．７／６．９、一軸圧縮強度が０．８１と低かった。これに対して高分子凝集剤を添加すると、脱水性が高まり、脱水ケーキの強度も向上したが、粒径の細かい粘質土では一軸圧縮強度が１以下で強度が小さかった。これらに対して、石灰を添加した場合では、ほとんどのコーン指数が１９．９以上で且つ一軸圧縮強度が３以上と十分な強度が得られた。
以上の結果から、脱水を行いにくい堆泥でも石灰を添加することで効率的に脱水処理を行うことができることが明らかとなった。ただし、石灰添加によりｐＨが上昇するため植物育成培地の主原料としてはその化学性が好ましくないと言えた。
【００１９】
２．養生試験
（１）方法
更に、別な堆泥を用いて脱水ケーキの養生試験を行った。供試した堆泥のピペット法による粒度分布はシルト１７重量％、粘土８３重量％と粘質土に相当した。これに高分子凝集剤及び消石灰を添加し、高圧型ドラムプレス脱水機で脱水機で脱水し、脱水ケーキを得た。得られた脱水ケーキは気中、水中、気中水中１日毎の繰り返しの条件で養生し、１４日後、２８日後の一軸圧縮強度について調査した。
（２）結果
得られた結果を表４に示した。
【００２０】
【表４】
2004016184.tif 000006
【００２１】
表４の結果から分かるように、いずれの処理方法の場合にも脱水ケーキは気中養生では乾燥とともに強度は高まったが、水中で養生した場合、強度が低下した。とくに高分子凝集処理の場合１４日目では崩壊し強度測定が不可能となった。これに対して石灰処理では６以上の強度を維持した。気中水中繰り返しでも水中とほぼ同様の傾向が見られた。
以上の結果から、底泥の脱水ケーキを屋外に保管する場合、凝集剤添加処理で脱水を行った場合は好雨により土塊が崩壊し、流出する可能性があり好ましくないことがわかった。これに対して石灰処理を行うことで、強度が高く維持されるため、浚渫した後の保管には石灰添加処理による脱水したケーキが好ましいことが明らかとなった。
【００２２】
試験例２
ｐＨ低下試験１
（１）方法
石灰及び高分子凝集剤添加処理を行い脱水固化させた脱水ケーキに、バーク堆肥を混合し、ｐＨの経時変化を調査した。サンプルは密封した容器に入れ、３０℃で管理された恒温室で保管した。
（２）結果
得られた結果は図１に示した。図１から分かるように、脱水ケーキに対して３０容量％以上バーク堆肥を添加することにより、顕著なｐＨ低下が認められた。とくに５０容量％添加した場合では、３週間後にｐＨが８．５以下となり４週間後には８．１９と著しく低下した。
【００２３】
ｐＨ低下試験２
（１）方法
添加する資材の種類を種々変えて３週間保管後のｐＨについて調査した。供試資材はピートモス、バーク堆肥、廃材チップ堆肥（中粒６ｍｍ以下）、オガクズ堆肥（細粒２ｍｍ以下）、鶏ふん堆肥、バーミキュライト（２〜４ｍｍ）、炭（２〜６ｍｍ）を用いた。バーク堆肥、廃材チップ堆肥（中粒６ｍｍ以下）、オガクズ堆肥（細粒２ｍｍ以下）はいずれも全窒素が１〜１．５重量％となるように調整されたものを用いた。添加量はいずれも脱水ケーキに対して３０容量％とした。保管はサンプルを密封した容器に入れ、３０℃の恒温室で行ｓった。途中２週間めに一度よく撹拌した。
（２）結果
得られた結果を表５に示した。
【００２４】
【表５】
2004016184.tif 000007
【００２５】
表５の結果から明らかなように、バーク堆肥、廃材チップ堆肥を混合したものでｐＨが８程度まで低下し、しかもＥＣが１以下と比較的低かった。粒径の細かいオガクズ堆肥はｐＨが９．０と十分低下しなかった。ピートモスはそれそのもののｐＨが低いため混合すると少しｐＨの低下が見られるが、顕著な低下は認められなかった。また、鉱物質資材であるバーミキュライトや木炭はＥＣは低下したもののｐＨには大きな影響は認められなかった。
以上の結果から、石灰添加処理により脱水した浚渫土に粒径の比較的荒い木質の原料から製造されたバーク堆肥、廃材チップ堆肥、モミガラ堆肥を添加することにより、浚渫土のｐＨを短期間に効果的に低下させられることがわかった。
【００２６】
試験例４
臭い除去に関する試験
（１）方法
石灰及び高分子凝集剤添加処理を行い脱水固化させた脱水ケーキは保管中に悪臭が発生すると問題があった。これは浚渫土中にわずかに含まれる有機物が嫌気発酵し、さらにｐＨが高いことからアンモニアガスとして揮散することが主な原因と思われる。そこで浚渫土とバーク堆肥を混合し、悪臭の経時変化を調査した。
（２）結果
得られる結果を表６に示した。
【００２７】
【表６】
2004016184.tif 000008
【００２８】
表６の結果から分かるように、バーク堆肥を３０容量％以上混合すると、混合した直後に悪臭はほとんど臭わなくなった。１０容量％添加では３日後に臭いが消えたが、無添加では１週間後でも依然として悪臭が発生していた。
試験例３で用いたサンプルについても混合翌日の悪臭の発生程度を調査したが、バーク堆肥、廃材チップ堆肥、オガクズ堆肥、モミガラ堆肥でほとんど臭わず、炭、ピートモスはわずかに臭った。
以上の結果から、浚渫土の悪臭対策としてバーク堆肥をはじめとする木質系堆肥の添加が著しく効果があることが明らかとなった
【００２９】
試験例５
各資材の添加が培地の化学性に及ぼす影響
（１）方法
供試土壌として、浚渫土、浚渫土にバーク堆肥を７：３の容量比で混合したもの（浚渫土、堆肥混合土）、浚渫土にバーク堆肥を７：３で混合して３週間保管したもの（浚渫土、堆肥混合堆積土）を供試した。供試土壌にピートモス、ｐＨ低下資材としてニトロフミン酸、硫酸（０．５ｍｏｌ／Ｌ）、ペーハー（商品名）の３種類を供試した。各資材の添加が培地の化学性に及ぼす影響、各資材の添加が培地の物理性に及ぼす影響を調べた。ここで用いた浚渫土は、ダム湖底の堆泥を浚渫して高分子凝集剤および石灰を加えて得られた脱水ケーキを指す。
（２）結果
得られた結果を表７および表８に示した。
【００３０】
【表７】
2004016184.tif 000009
【００３１】
【表８】
2004016184.tif 000010
【００３２】
表７の結果から分かるように、浚渫土に対しては、ピートモス、ｐＨ資材とも添加してもほとんどｐＨ低下は認められなかった。浚渫土、堆肥混合土の場合は浚渫土に比べてｐＨが低下したが顕著な効果は認められなかった。これらの培地はいずれもｐＨが８以上であり、植物育成培地としては適当でない。これに対して、浚渫土にバーク堆肥を７：３で混合して３週間保管した浚渫土、堆肥混合堆積土ではさらにピートモスとｐＨ低下資材を添加することで植物育成培地として好ましい７以下になった。ｐＨ低下資材としては、添加量が少なくＥＣの上昇が最も少ないニトロフミン酸が最も好ましいと思われた。ペーハーについてはＥＣが著しく上昇するため適当でないと思われた。
表８に示したように、各資材の添加が得られた培地の物理性に及ぼす影響については、堆肥及びピートモスの添加によって気相率が上昇し、保水性が高まった。また、堆肥、及びピートモスの添加によって比重が軽くなり、とくに堆肥と混合してから３週間経過させた堆積土は他区に比べて透水性が著しく良くなった。
以上の結果から、浚渫土と堆肥と混合してから堆積し、さらにピートモスを添加することで、著しく物理性が改善し、植物育成培地としての性能が向上した。
【００３３】
試験例６
植物の栽培試験
（１）方法
本発明の植物育成培地として、ダム湖底に堆積した堆泥から得た浚渫土に石灰及び高分子凝集剤を加えて脱水ケーキを得、次いで高さ３ｍ程度に堆積保管した脱水ケーキを切り崩し、目開き１０ｍｍの篩網を装着した振動篩機を通過させ粒度調整を行った。粒度調整を行った脱水ケーキ５容量に対して２容量のバーク堆肥を混合して３週間堆積して混合堆積土を得た。このときに悪臭はすでになかった。さらにこれに３容量のピートモス、７０ｇ／ｌのニトロフミン酸、窒素肥料２００成分ｍｇ／ｌ、リン酸肥料２５００成分ｍｇ／ｌ、加里肥料１００成分ｍｇ／ｌを混合し、供試培養土を得た。これと市販培養土として、土太郎（スミリン農産工業）、園芸培土（クレハ化学工業）を供試し、ビオラ、クリサンセマム、キュウリ、トマトの栽培を行った。
（２）結果
得られた結果を表９、表１０および表１１に示した。
【００３４】
【表９】
2004016184.tif 000011
【００３５】
【表１０】
2004016184.tif 000012
【００３６】
【表１１】
2004016184.tif 000013
【００３７】
表９、表１０および表１１の結果から分かるように、代表的な花壇苗のビオラ、クリサンセマム、代表的な野菜であるキュウリ、トマトのいずれも、本発明の植物育成培地で栽培した場合には市販培養土に比べて遜色ない生育が得られた。
以上の結果から、本発明による植物育成培地はこれらの園芸作物を栽培するための植物育成培地として有効であることが明らかとなった。
【００３８】
【発明の効果】
以上の結果から判るように、ダム湖底に堆積した堆泥から得られる本発明の植物育成培地は、堆泥の透水性の不良性から生じる問題、さらに浚渫後の脱水ケーキの有する高いｐＨ、臭い、相互癒着による土塊形成、嫌気性、リン酸欠乏などの問題を解決し、植物の栽培に適した理化学性を有する培地である。
【図面の簡単な説明】
【図１】図１は、ダム湖底から得られた浚渫土に対して、石灰添加処理を行い脱水固化させた脱水ケーキに、バーク堆肥を混合し、ｐＨの経時変化を調べたグラフである。
【図１】
2004016184.tif 000014